(57)【要約】【課題】表示素子を保護する部材の剥がれを抑制した電子機器を提供する。【解決手段】プロジェクター１（電子機器）は、画像を表示する表示領域を有する液晶パネル７１（表示素子）と、液晶パネル７１を収納し、表示領域を露出させる開口部５１１を有する外装筐体５と、開口部５１１を覆い、外装筐体５に貼り付けられる第１保護部材８と、外装筐体５と第１保護部材８とに貼り付けられる第２保護部材９と、を備える。外装筐体５は、開口部５１１の周縁に形成された凹部５１１ａと、凹部５１１ａの外周面となる第１面５１Ｂと、を有し、第１保護部材８は、凹部５１１ａに配置され、第２保護部材９は、第１保護部材８の縁部と第１面５１Ｂとに跨って貼り付けられている。【選択図】図３
2017211517.tif 000002
【特許請求の範囲】
【請求項１】
画像を表示する表示領域を有する表示素子と、
前記表示素子を収納し、前記表示領域を露出させる開口部を有する外装筐体と、
前記開口部を覆い、前記外装筐体に貼り付けられる第１保護部材と、
前記外装筐体と前記第１保護部材とに貼り付けられる第２保護部材と、
を備え、
前記外装筐体は、
前記開口部における当該外装筐体の外面側の周縁に形成された凹部と、
前記凹部の外周面となる第１面と、
を有し、
前記第１保護部材は、前記凹部に配置され、
前記第２保護部材は、前記第１保護部材の縁部と前記第１面とに跨って貼り付けられていることを特徴とする電子機器。
【請求項２】
請求項１に記載の電子機器であって、
前記第２保護部材は、前記第１保護部材の全周縁に亘って貼り付けられていることを特徴とする電子機器。
【請求項３】
請求項１または請求項２に記載の電子機器であって、
前記外装筐体は、前記第１面から突出し、前記第２保護部材の端部を囲む凸部を有していることを特徴とする電子機器。
【請求項４】
請求項１〜請求項３のいずれか一項に記載の電子機器であって、
前記第１保護部材および前記第２保護部材は、板状に形成され、
前記第２保護部材の板厚は、前記第１保護部材の板厚と比較して薄いことを特徴とする電子機器。
【請求項５】
請求項１〜請求項４のいずれか一項に記載の電子機器であって、
前記画像を切り替えるために操作される操作部を備え、
前記第２保護部材は、当該電子機器の外部から、前記操作部が当該第２保護部材内に視認可能に配置されるように形成されていることを特徴とする電子機器。
【発明の詳細な説明】
【技術分野】
【０００１】
本発明は、電子機器に関する。
【背景技術】
【０００２】
従来、例えば、特許文献１に記載されているように、液晶パネルを搭載した液晶表示装置（電子機器）が知られている。
特許文献１に記載の電子機器は、液晶パネルと、液晶パネルの外側に配置されるカバーパネルと、これらを保持するシャーシフレームとを備える。液晶パネルとカバーパネルとは、周縁部が両面粘着剤によってシャーシフレームに固定されている。
【先行技術文献】
【特許文献】
【０００３】
【特許文献１】特開２００７−５２１８３号公報
【発明の概要】
【発明が解決しようとする課題】
【０００４】
しかしながら、特許文献１に記載の電子機器では、この電子機器に加わる衝撃や、高温環境下等におけるカバーパネルの撓み等によってカバーパネルがシャーシフレームから剥がれてしまう恐れがある。カバーパネルが一部でも剥がれてしまうと、さらに剥がれる部位が広がりやすくなるため、液晶パネルを保護することが難しくなるという課題が生じる。また、剥がれた部位から塵埃や液体が侵入するため、液晶パネルが劣化するという課題も生じる。
【課題を解決するための手段】
【０００５】
本発明は、上述の課題の少なくとも一部を解決するためになされたものであり、以下の形態または適用例として実現することが可能である。
【０００６】
［適用例１］本適用例に係る電子機器は、画像を表示する表示領域を有する表示素子と、前記表示素子を収納し、前記表示領域を露出させる開口部を有する外装筐体と、前記開口部を覆い、前記外装筐体に貼り付けられる第１保護部材と、前記外装筐体と前記第１保護部材とに貼り付けられる第２保護部材と、を備え、前記外装筐体は、前記開口部における当該外装筐体の外面側の周縁に形成された凹部と、前記凹部の外周面となる第１面と、を有し、前記第１保護部材は、前記凹部に配置され、前記第２保護部材は、前記第１保護部材の縁部と前記第１面とに跨って貼り付けられていることを特徴とする。
【０００７】
本適用例によれば、電子機器は、外装筐体の表示領域を露出させる開口部を覆う第１保護部材、および第１保護部材と外装筐体とに跨って貼り付けられる第２保護部材を備える。また、第１保護部材は、外装筐体の凹部に配置されるので、凹部の外周面（第１面）に対する表面の段差が抑制される。これによって、第２保護部材は、段差が抑制された第１保護部材の縁部と、凹部の外周面とに跨って貼り付けられるので、第１保護部材と外装筐体に貼り付けられた状態の維持が可能となる。よって、第１保護部材の剥がれが確実に抑えられるので、表示素子を確実に保護可能とする電子機器を提供することができる。
【０００８】
［適用例２］上記適用例に記載の電子機器において、前記第２保護部材は、前記第１保護部材の全周縁に亘って貼り付けられていることが好ましい。
【０００９】
本適用例によれば、第２保護部材が第１保護部材の全周縁に亘って貼り付けられているので、第１保護部材と外装筐体の凹部との間から塵埃や液体が開口部内に侵入することを防止することができる。よって、塵埃や液体の侵入による表示素子の劣化を確実に防止可能な電気機器を提供することができる。
【００１０】
［適用例３］上記適用例に記載の電子機器において、前記外装筐体は、前記第１面から突出し、前記第２保護部材の端部を囲む凸部を有していることが好ましい。
【００１１】
本適用例によれば、第２保護部材は、端部が凸部によって囲まれているので、電子機器を取り扱うユーザー等がこの端部に触れることを抑えることができる。よって、第２保護部材の剥がれを抑制することができるので、さらに、第１保護部材の剥がれの防止を確実なものとすることができる。
【００１２】
［適用例４］上記適用例に記載の電子機器において、前記第１保護部材および前記第２保護部材は、板状に形成され、前記第２保護部材の板厚は、前記第１保護部材の板厚と比較して薄いことが好ましい。
【００１３】
本適用例によれば、撓み等が生じにくいように第１保護部材を形成し、柔軟性を有するように第２保護部材を形成することが可能となる。これによって、部材の寸法公差等によって第１保護部材の縁部と第１面との間に段差が生じる場合であっても、第２保護部材がこの段差に追従し、確実に第１保護部材の縁部と第１面と跨って貼り付けられる状態を実現することが可能となる。よって、各部材を高精度に形成することなく、第１保護部材の剥がれを確実に抑えることが可能となる。
【００１４】
［適用例５］上記適用例に記載の電子機器において、前記画像を切り替えるために操作される操作部を備え、前記第２保護部材は、当該電子機器の外部から、前記操作部が当該第２保護部材内に視認可能に配置されるように形成されていることが好ましい。
【００１５】
本適用例によれば、第２保護部材に操作部に対応するアイコンや文字等を表記したり、操作ボタンの周囲にデザインを施したりすることで、第２保護部材をいわゆる化粧板としても機能させることができる。これによって、化粧板と、化粧板とは異なる専用の第２保護部材を形成することなく、第１保護部材の剥がれを抑制する構成、および操作部の機能に対応する表記をすることができる。よって、表示素子および操作部の配置自由度を高めることや、部品点数の増加を抑制して、表示素子および操作部を備える電子機器の提供が可能となる。
【図面の簡単な説明】
【００１６】
【図１】本実施形態のプロジェクターの概略構成を示すブロック図。
【図２】本実施形態のプロジェクターの外観の一部を示す斜視図。
【図３】図２に示すプロジェクターにおいて、操作表示部を分解した状態を示す図。
【図４】本実施形態のプロジェクターの断面図であり、操作表示部および操作表示部近傍を示す図。
【図５】図４におけるＡ部の拡大図。
【図６】変形例における第１保護部材および第２保護部材を模式的に示す平面図。
【発明を実施するための形態】
【００１７】
以下、本発明の実施形態について、図面を参照して説明する。
図１は、本実施形態の電子機器としてのプロジェクター１の概略構成を示すブロック図である。
プロジェクター１は、図１に示すように、制御部２、投写光学装置３、操作表示部４、およびこれらの部材を収納する外装筐体５を備える。
【００１８】
制御部２は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御等を行う。
【００１９】
投写光学装置３は、光源３１、光変調装置３２、および投写レンズ３３を備える。投写光学装置３は、制御部２の指示の基、光源３１から射出された光を画像情報に応じて光変調装置３２が変調し、変調した光を投写レンズ３３から投写する。
【００２０】
図２は、プロジェクター１の外観の一部を示す斜視図であり、操作表示部４および操作表示部４近傍を示す図である。図３は、図２に示すプロジェクター１において、操作表示部４を分解した状態を示す図である。
本実施形態の操作表示部４は、プロジェクター１が設置された状態で、ユーザーがプロジェクター１の側方から視認可能に配置されている。以下では、説明の便宜上、上下方向（厚み方向）とは、プロジェクター１が設置された状態の上下方向のことをいい、上下方向に直交し、図２の図面視における右方を「右側」、左方を「左側」として記載する。
【００２１】
操作表示部４は、図１〜図３に示すように、操作出力部６、表示部７、第１保護部材８、および第２保護部材９を備える。
図４は、プロジェクター１の断面図であり、操作表示部４および操作表示部４近傍を示す図である。
操作出力部６は、複数の操作ボタン６１（図３参照）、および複数の操作ボタン６１に対応して配置されたキースイッチ６２、および回路基板６３（いずれも図４参照）等を備え、図示しないケーブルで制御部２に接続されている。操作ボタン６１は、表示部７に表示される画像を切り替える操作部に相当する。
【００２２】
操作出力部６が備える操作ボタン６１としては、プロジェクター１の電源をオンするオンボタン６１ａ、電源をオフするオフボタン６１ｂや、各種操作メニューを表示するためのメニューボタン等がある。オンボタン６１ａおよびオフボタン６１ｂは、図３に示すように、複数の操作ボタン６１の中で左上に配置され、左右に併設されている。そして、操作出力部６は、押圧された操作ボタン６１に応じた信号を制御部２に出力する。制御部２は、操作出力部６から出力された信号に応じて、投写させる画像や、表示部７に表示させる画像を切り替える。
【００２３】
表示部７は、図４に示すように、表示素子としての液晶パネル７１および固定部材７２を備えている。液晶パネル７１は、オフボタン６１ｂの右方に配置され（図３参照）、固定部材７２によって外装筐体５の内面に固定されている（図４参照）。そして、液晶パネル７１は、図示しない接続部によって制御部２に接続されている。液晶パネル７１は、画像を表示する矩形状の表示領域７１Ｈを有し、制御部２の指示に応じた画像を表示する。例えば、液晶パネル７１は、プロジェクター１の状態（例えば、スタンバイ状態等）や、異常状態（内部高温等）等を図記号や文字等で表示する。また、液晶パネル７１は、操作ボタン６１の操作により、プロジェクター１の詳細な状況や異常の履歴などを表示する。
【００２４】
第１保護部材８は、液晶パネル７１を保護する機能を有している。第１保護部材８は、表示領域７１Ｈに表示された画像を視認可能な板状の光透過部材で形成され、図３に示すように、平面視矩形状に形成されている。そして、第１保護部材８は、液晶パネル７１の表示領域７１Ｈを露出させる外装筐体５の開口部５１１を覆って配置される（図４参照）。第１保護部材８としては、例えば、ポリカーボネート系やアクリル系等の樹脂材料やガラス材を例示することができ、その板厚としては、０．５ｍｍ程度を例示することができる。
【００２５】
第２保護部材９は、例えばポリカーボネート系の樹脂材料の板材を基材として形成され、裏面には粘着材が設けられている。この基材の厚みは、第１保護部材８の板厚と比較して薄い板厚が使用されている。具体的に、第２保護部材９は、粘着材を含めて厚みが０．２ｍｍ程度に形成され、柔軟性を有している。
第２保護部材９は、図３に示すように、第１保護部材８より大きな矩形状に形成され、表示用孔９１および複数のボタン用孔９２を有している。表示用孔９１は、第１保護部材８の平面サイズより小さく、表示領域７１Ｈと略同じ形状に形成されている。複数のボタン用孔９２は、複数の操作ボタン６１をそれぞれ露出させるように形成されている。
【００２６】
第２保護部材９は、図２に示すように、第１保護部材８の周縁部および外装筐体５に跨って貼り付けられている。また、図示は省略するが、第２保護部材９には、印刷等によって、操作ボタン６１の機能に対応する表記（アイコンや文字等）や、デザインが施されている。このように、第２保護部材９は、プロジェクター１の外部から、複数の操作ボタン６１がこの第２保護部材９内で視認可能に配置されるように形成され、いわゆる化粧板の機能を有している。なお、操作ボタン６１の機能に対応する表記は、操作ボタン６１自体に施すこともできる。第１保護部材８および第２保護部材９の取付け構造については、後で詳細に説明する。
【００２７】
外装筐体５は、詳細な説明は省略するが、合成樹脂製の部材等が複数組み合わされて構成されている。外装筐体５は、例えば、図２、図４に示すように、操作表示部４が取り付けられ、外装筐体５の側面の一部を形成する第１筐体５１を有している。
【００２８】
〔第１保護部材および第２保護部材の取付け構造〕
ここで、第１保護部材８および第２保護部材９の取付け構造について説明する。
第１筐体５１は、図３に示すように、外装筐体５の側面の一部となる外面５１Ａ、および外面５１Ａから窪む窪み部５１２を有している。
窪み部５１２は、左右方向が上下方向より大きな平面視矩形状に形成され、右側の壁部を形成する壁部５１２Ｒ、左側の壁部を形成する壁部（図示省略）、上側および下側の壁部をそれぞれ形成する壁部５１２Ｕ，５１２Ｄ、および底面部５１２Ｂを有している。
【００２９】
底面部５１２Ｂには、左右方向の略中央に、上下方向に延出する突起５１ｐが設けられている。そして、底面部５１２Ｂには、この突起５１ｐの右側に、前述した開口部５１１、および複数の操作ボタン６１をそれぞれ露出させるボタン開口部５１３（図４参照）が設けられている。そして、開口部５１１の周縁には、図３、図４に示すように、外面５１Ａ側に形成された凹部５１１ａ、および外面５１Ａ側とは反対側となる内面側に形成された内側凹部５１１ｂが設けられている。そして、底面部５１２Ｂには、突起５１ｐの右側に、凹部５１１ａの外周面となる第１面５１Ｂが形成され、突起５１ｐの左側に、第２面５１Ｃが設けられている。
【００３０】
また、第１面５１Ｂには、オンボタン６１ａ用およびオフボタン６１ｂ用のボタン開口部５１３の周囲に突起部５１４（図４参照）が設けられている。突起部５１４は、第１面５１Ｂから突出するオンボタン６１ａおよびオフボタン６１ｂと略同じ高さになるように設定されている。なお、第２保護部材９に形成されたオンボタン６１ａ用およびオフボタン６１ｂ用のボタン用孔９２は、この突起部５１４が露出する大きさに形成されている。
オンボタン６１ａおよびオフボタン６１ｂの周囲にこの突起部５１４が設けられていることにより、ユーザーによるオンボタン６１ａおよびオフボタン６１ｂの誤操作を抑制するとともに、操作表示部４のデザイン性の向上が図られている。
【００３１】
図５は、図４におけるＡ部の拡大図であり、凹部５１１ａ、内側凹部５１１ｂを示す図である。
図５に示すように、内側凹部５１１ｂには、液晶パネル７１が配置され、凹部５１１ａには、第１保護部材８が配置される。具体的に、液晶パネル７１は、内側凹部５１１ｂに配置され、第１筐体５１と固定部材７２とに挟持されて固定される（図４参照）。第１保護部材８は、液晶パネル７１側となる内面８Ｂ、および内面８Ｂとは反対側となる外面８Ａを有し、内面８Ｂの周縁部には、表示領域７１Ｈの外側に対応するマスキング用の印刷（図示省略）が施され、この印刷された領域に粘着材８Ｔ（両面テープ）が設けられている。第１保護部材８は、この粘着材８Ｔを用いて凹部５１１ａに貼り付けられる。
【００３２】
また、凹部５１１ａの深さは、第１保護部材８の厚みと粘着材８Ｔの厚みとの和と略同じになることが好ましい。すなわち、第１保護部材８の外面８Ａと第１筐体５１の第１面５１Ｂとの間で段差が生じないように、凹部５１１ａ、第１保護部材８および粘着材８Ｔが設定されることが好ましい。しかしながら、各部材の寸法公差を加味して外面８Ａが第１面５１Ｂに対して僅かに凹むように設定しても、あるいは、外面８Ａが第１面５１Ｂから僅かに凸となるように設定してもよい。
【００３３】
第２保護部材９は、第１保護部材８における外面８Ａの縁部と第１筐体５１の第１面５１Ｂとに跨って貼り付けられている。また、第２保護部材９は、外面８Ａの全周縁に亘って貼り付けられている。第２保護部材９が柔軟性を有しているため、前述したように、外面８Ａと第１面５１Ｂとの間に僅かな段差が生じる場合であっても、第２保護部材９は、外面８Ａおよび第１面５１Ｂに追従して撓み、外面８Ａおよび第１面５１Ｂに確実に貼り付けられる。
【００３４】
前述した突起５１ｐは、第２保護部材９より僅かに飛び出るように形成されている。すなわち、第２保護部材９は、端部が第１面５１Ｂから突出する凸部（壁部５１２Ｒ，５１２Ｕ，５１２Ｄ、および突起５１ｐ）に囲まれて配置されている。なお、図示は省略するが、第２面５１Ｃには、第２保護部材９とは異なるシート状の部材が配置される。
【００３５】
以上述べたように、本実施形態に係るプロジェクター１によれば、以下の効果を得ることができる。
（１）第２保護部材９は、段差が抑制された第１保護部材８の縁部と第１面５１Ｂとに跨って貼り付けられるので、第１保護部材８と外装筐体５に貼り付けられた状態の維持が可能となる。よって、第１保護部材８の剥がれが確実に抑えられるので、液晶パネル７１を確実に保護可能とするプロジェクター１を提供することができる。
【００３６】
（２）第２保護部材９が第１保護部材８の全周縁に亘って貼り付けられているので、第１保護部材８と凹部５１１ａとの間から塵埃や液体が開口部５１１内に侵入することを防止することができる。よって、塵埃や液体の侵入による液晶パネル７１や液晶パネル７１の内側に配置される部材の劣化を確実に防止可能なプロジェクター１を提供することができる。
【００３７】
（３）第２保護部材９は、端部が凸部によって囲まれているので、プロジェクター１を取り扱うユーザー等がこの端部に触れることを抑えることができる。よって、第２保護部材９の剥がれを抑制することができるので、さらに、第１保護部材８の剥がれの防止を確実なものとすることができる。
【００３８】
（４）第２保護部材９が柔軟性を有しているため、外面８Ａと第１面５１Ｂとの間に僅かな段差が生じる場合であっても、第２保護部材９は、外面８Ａと第１面５１Ｂと跨って確実に貼り付けられる。よって、各部材を高精度に形成することなく、第１保護部材８の剥がれを確実に抑えることが可能となる。
【００３９】
（５）第２保護部材９が化粧板の機能を有しているので、化粧板と、化粧板とは異なる専用の第２保護部材を形成することなく、第１保護部材の剥がれを抑制する構成、および操作ボタン６１の機能に対応する表記をすることができる。よって、液晶パネル７１および操作ボタン６１の配置自由度を高めることや、部品点数の増加を抑制して、液晶パネル７１および操作ボタン６１を備えるプロジェクター１の提供が可能となる。
また、第１保護部材８を共通部品とし、複数種類の第２保護部材９（化粧板）を準備することで、プロジェクター１を容易に複数の機種として構成することが可能となる。例えば、プロジェクター１の仕向け先等に応じた表記（例えば、日本語や英語の表記等）の複数種の第２保護部材９を準備すること等を例示することが可能である。この構成によれば、第１保護部材８が外装筐体５に取り付けられた状態、すなわち、液晶パネル７１が保護された状態で、第２保護部材９（化粧板）を選択できるので、プロジェクター１の製造工程の簡素化や在庫管理の効率化が可能となる。
【００４０】
（変形例）
なお、本発明は上述した実施形態に限定されず、上述した実施形態に種々の変更や改良などを加えることが可能である。変形例を以下に述べる。
【００４１】
前記実施形態では、第２保護部材９が第１保護部材８の周縁全てに貼り付けられるように構成されているが、第２保護部材１９が第１保護部材１８の周縁の一部に重なる構成であってもよい。
図６は、変形例における第１保護部材１８および第２保護部材１９を模式的に示す平面図である。例えば、図６に示すように、平面視矩形状の第１保護部材１８に対し、第２保護部材１９が平面視楕円形状の表示用孔１９１を有し、第１保護部材１８の４つの角部に重なるように構成してもよい。言うまでもなく、表示領域１７Ｈは、表示用孔１９１内に形成されることとなる。
この構成によれば、辺部に比べて剥がれ易いと考えられる第１保護部材８の角部に第２保護部材１９を重ねる構成なので、第１保護部材８の剥がれを抑制しつつ、デザイン性の自由度を高めることが可能となる。なお、一部が重なる構成においては、図６に示した形状に限定されるものではなく、他の形状であってもよい。
【００４２】
前記実施形態の第２保護部材９は、表示用孔９１を有しているが、表示用孔９１を有さず、表示用孔９１に対応する領域が表示領域７１Ｈに表示された画像を視認可能な光透過性を有していれば、外面８Ａ全面に貼り付けられる構成であってもよい。
【００４３】
前記実施形態の第１筐体５１には、第２保護部材１９の全周に凸部（壁部５１２Ｒ，５１２Ｕ，５１２Ｄ、および突起５１ｐ）が設けられているが、全周のうちの一部に凸部が設けられる構成や、凸部が設けられない構成であってもよい。
【００４４】
前記実施形態のプロジェクター１は、表示部７が外装筐体５の側面に配置されるように構成されているが、側面に限らず他の面、例えば、上面等に配置される構成であってもよい。
【００４５】
前記実施形態では、表示素子として液晶パネル７１を例示したが、液晶パネル７１以外、例えば、ＥＬ（Electro Luminescence）等を表示素子とする構成であってもよい。
【００４６】
前記実施形態のプロジェクター１は、第２保護部材９がボタン用孔９２を有して構成されているが、ボタン用孔９２を有さず、第２保護部材９自体が押圧されることによって操作出力部６が信号を出力するように構成してもよい。
【００４７】
前記実施形態では、第２保護部材９が化粧板の機能を有しているが、化粧板の機能を有さない第２保護部材を構成してもよい。
【００４８】
前記実施形態では、電子機器としてプロジェクター１を例示したが、表示素子を備える電子機器であれば、プロジェクター１以外であってもよい。
【符号の説明】
【００４９】
１…プロジェクター（電子機器）、５…外装筐体、７…表示部、８，１８…第１保護部材、９，１９…第２保護部材、１７Ｈ，７１Ｈ…表示領域、５１…第１筐体、５１Ａ…外面、５１Ｂ…第１面、５１ｐ…突起（凸部）、６１…操作ボタン（操作部）、７１…液晶パネル（表示素子）、９１，１９１…表示用孔、９２…ボタン用孔、５１１…開口部、５１１ａ…凹部、５１２Ｄ，５１２Ｒ，５１２Ｕ…壁部（凸部）。
【図１】
2017211517.tif 000003
【図２】
2017211517.tif 000004
【図３】
2017211517.tif 000005
【図４】
2017211517.tif 000006
【図５】
2017211517.tif 000007
【図６】
2017211517.tif 000008